(57)【特許請求の範囲】
【請求項１】
被写体の像を結像する結像光学系と撮像素子を有する内視鏡において、複屈折性を持ち、常光線と異常光線とで異なる屈折率をもつ結晶からなる結晶光学素子を前記結像光学系の光路に配置し、前記結像光学系の光軸方向に２重焦点が形成され、以下の条件式を満足することを特徴とする内視鏡。
2≦Δz／（Fno×P）≦9・・・（１）
但し、
Δz：画面中心における光軸方向の焦点位置のズレ量
Fno：結像光学系の有効Fナンバー
P：撮像素子の画素ピッチであり、以下の様に定義する。
P＝（PH×PV）1/2
PH：撮像素子の水平方向画素ピッチ
PV：撮像素子の垂直方向画素ピッチ
【請求項２】
以下の条件式を満足する請求項１の内視鏡。
0≦Δy／P≦7・・・（２）
但し、
Δy：画面中心における光軸に垂直な方向の焦点位置のズレ量
P：撮像素子の画素ピッチであり、以下の様に定義する。
P＝（PH×PV）1/2
PH：撮像素子の水平方向画素ピッチ
PV：撮像素子の垂直方向画素ピッチ
【請求項３】
以下の条件式を満足する請求項１の内視鏡。
0°≦θ≦10°・・・（３）
0°≦φih-max≦20°・・・（４）
但し、
θ：結晶光学素子の光学軸と、結像光学系の光軸とのなす角度
φih-max：結像光学系の最大像高における主光線と、結像光学系の光軸とのなす角度であり、結晶光学素子入射面での値である。
【請求項４】
以下の条件式を満足する請求項１の内視鏡。
0.5≦t／f≦2・・・（５）
但し、
t：結晶光学素子の厚さであり、結像光学系の光軸方向の寸法である。
f：結像光学系の焦点距離
【請求項５】
被写体の像を結像する結像光学系と撮像素子を有する内視鏡において、複屈折性を持ち、常光線と異常光線とで異なる屈折率をもつ結晶からなる結晶光学素子を前記結像光学系の光路に配置し、前記結像光学系の光軸方向に２重焦点が形成され、以下の条件式を満足することを特徴とする内視鏡。
2≦Δz／（Fno×P）≦9・・・（１）
0≦Δy／P≦7・・・（２）
0°≦θ≦10°・・・（３）
0°≦φih-max≦20°・・・（４）
0.5≦t／f≦2・・・（５）
但し、
Δz：画面中心における光軸方向の焦点位置のズレ量
Fno：結像光学系の有効Fナンバー
P：撮像素子の画素ピッチであり、以下の様に定義する。
P＝（PH×PV）1/2
PH：撮像素子の水平方向画素ピッチ
PV：撮像素子の垂直方向画素ピッチ
Δy：画面中心における光軸に垂直な方向の焦点位置のズレ量
θ：結晶光学素子の光学軸と、結像光学系の光軸とのなす角度
φih-max：結像光学系の最大像高における主光線と、結像光学系の光軸とのなす角度であり、結晶光学素子入射面での値である。
t：結晶光学素子の厚さであり、結像光学系の光軸方向の寸法である。
f：結像光学系の焦点距離
【発明の詳細な説明】
【技術分野】
【０００１】
本発明は内視鏡に関し、特に通常の内視鏡より被写界深度を拡大した内視鏡に関する。
【背景技術】
【０００２】
一般的に、明るい結像光学系を実現するには大きな開口を持つことが必要である。ところが、開口が大きくなると被写界深度が浅くなる。一般的に、光学機器においては「明るさ」と「深い被写界深度」はトレードオフの関係にある。「明るさ」と「深い被写界深度」の両立のニーズは各種の光学機器で存在しており、内視鏡においても同様である。
【０００３】
なお、深度に関する用語について本発明では以下の様に用いる。
【０００４】
深度を表す言葉として被写界深度と焦点深度があり、その関係は次の通りである。被写界深度は深度を被写界（物体）側で表したものであり、焦点深度とは深度を像側で表したものであり、１対１で対応している。つまり被写界深度を拡大することは焦点深度を拡大することと等価である。よって本発明では用語として「被写界深度」を用いる。
【０００５】
被写界深度を拡大した例として、たとえば特許文献１に開示されるように、ビデオマイクロスコープに結晶光学素子である水晶を用い、２重焦点光学系としたものがある。
【０００６】
また、内視鏡の例としては、たとえば特許文献２に開示されるように、結像光学系中に瞳変調素子を配置したものがある。
【特許文献１】特開平１１−１２７３８２号公報
【特許文献２】特開２０００−５１２７号公報
【発明の開示】
【発明が解決しようとする課題】
【０００７】
内視鏡において被写界深度を拡大する際、以下の2点が重要である。
【０００８】
第1の点として、内視鏡の結像光学系は極めて小型であり、それを実現するために、深度拡大のため用いる光学素子を含んだ結像光学系の構成が簡易あり、製造組み立てが容易であることである。第２の点として、その結像光学系のパラメーターが内視鏡に対して最適であることである。焦点位置の変化量やFナンバー等のパラメーターの設定が不適切の場合、実質的に被写界深度が拡大しなかったり、あるいは像がぼけてしまい、高い解像力が得られないことになる。
【０００９】
第１の点に関し、特許文献１は水晶を材料として光学系に用いている。水晶はモアレ防止のための光学フィルタとして一般的に用いられているものであり、製造組み立てに問題はない。特許文献２は瞳変調素子の形状が回転非対称であり、素子の製造誤差、光学系の組み立て時の位置決めに関して制約が多い。また素子形状が原因の回転非対称なボケを生じるため、画像処理による画質改善法も複雑となる。
【００１０】
第２の点に関し、特許文献１は深度拡大の概念は開示されているが、内視鏡で実施するために必要な条件は提示されていない。そのため内視鏡にはそのまま適用できない。特許文献２は概念だけでなく実施するために必要な条件の提示はあるが、それは瞳変調素子を使った場合にのみ適用できるものであり、その他の光学系では使用できない。
【００１１】
本発明は従来技術のこのような問題点に鑑みてなされたものであり、被写界深度を拡大した内視鏡であって、簡易な構成で、かつ最適なパラメーターを設定した内視鏡を提供することを目的とする。
【課題を解決するための手段】
【００１２】
上記課題を解決するため、本発明の内視鏡は、
（１）  被写体の像を結像する結像光学系と撮像素子を有する内視鏡において、複屈折性を持ち、常光線と異常光線とで異なる屈折率をもつ結晶からなる結晶光学素子を前記結像光学系の光路に配置し、前記結像光学系の光軸方向に２重焦点が形成され、以下の条件式を満足することを特徴とする。
【００１３】
2≦Δz／（Fno×P）≦9    ・・・（１）
但し、
Δz：画面中心における光軸方向の焦点位置のズレ量
Fno：結像光学系の有効Fナンバー
P：撮像素子の画素ピッチであり、以下の様に定義する。
【００１４】
P＝（PH×PV）1/2
PH：撮像素子の水平方向画素ピッチ
PV：撮像素子の垂直方向画素ピッチ
図1、図2は本発明の概念図である。
【００１５】
図1（a）は内視鏡の側面図である。内視鏡1は、ライドガイドファイバー2、照明レンズ3からなる照明光学系、および結像光学系4、結晶光学素子5、撮像素子6からなる撮像光学系を含んでいる。
【００１６】
不図示の光源装置からの光はライドガイドファイバー2、照明レンズ3を介して被写体7を照明する。被写体で反射された光は結像光学系4で撮像素子6の受光面に結像される。結像光学系の光路中には両面が平面のフィルター形状をした結晶光学素子5が配置されている。結晶光学素子とは、複屈折性を持ち、常光線と異常光線とで異なる屈折率をもつ結晶のことである。
【００１７】
図1（b）は内視鏡先端部の正面図である。結像光学系4、照明レンズ3、鉗子口8が配置されている。
【００１８】
図2は結像光学系4の結像位置付近の拡大図である。
【００１９】
結像光学系4の光路中に配置された結晶光学素子5の作用により、結像光学系4の光軸9方向に２重焦点F1,F2を形成している。２つの焦点F1,F2の光軸方向のズレ量はΔzである。撮像素子はF1とF2の中間付近に配置する。
【００２０】
ここで、２重焦点を形成する場合、内視鏡システムに対して最適なパラメーターを設定することが望ましい。具体的には条件式（１）を満足するとよい。
【００２１】
条件式（１）は内視鏡システムに対して結像光学系の最適な基本パラメーターを設定したものであり、２重焦点のズレ量を、結像光学系の有効Fナンバー、撮像素子の画素ピッチに対して規定している。ここで画面中心とは、撮像素子の撮像面を結像光学系の光軸が通る位置である。以下同じ定義で用いる。
【００２２】
図3は２重焦点F1,F2とその中間Fmでの光束の広がりを幾何光学的に表現したものである。結像光学系は無収差レンズ、開口は円形であると仮定する。
【００２３】
焦点F1では光束R1が結像し、焦点F2では光束R2が結像している。焦点F1での光束の広がりは、デルタ関数状の光束R1と円筒状の広がりを持つ光束R２が足し合わされている。光束R２の直径D＿F1＿R2はΔz／Fnoで表される。
【００２４】
一方、焦点F2での光束の広がりは、デルタ関数状の光束R2と円筒状の広がりを持つ光束R1とが足し合わされている。光束R1の直径D＿F2＿R1はΔz／Fnoで表される。
【００２５】
また、中間位置Fmでは円筒状の広がりを持つ光束R１と、同じく円筒状の広がりを持つ光束R2とが足し合わされている。光束R1の直径D＿Fm＿R1と光束R2の直径D＿Fm＿R2は等しく、Δz／Fno／2で表される。
【００２６】
撮像素子の画素ピッチに対して、これら結像光学系の結像位置での光束の広がりが適切な範囲にあると、解像力を損なうことなく、被写界深度を拡大することができる。撮像素子の画素Pの2倍より細かい周波数の情報はサンプリングの定理から伝達することができない。さらに情報の入力部である結像光学系から出力部であるTVモニターなどの表示系のまでの周波数伝達特性を考慮すると、内視鏡システム全体では、画素Pの3倍程度の周波数が実力の解像力になる。
【００２７】
条件式（１）の値が上限の9をとる場合、中間位置Fmでは画素Pの4.5倍の広がりとなる。これは上記実力解像力の2/3程度である。内視鏡の被写体である体腔は高い周波数成分が少ない。そのため条件式（１）の上限9の範囲内であれば解像力上は問題なく、深度拡大の効果が大きく好ましい。なお、F1,F2ではデルタ関数状の成分と直径が9画素の円筒状の成分からなる。デルタ関数状の成分があるため解像力は十分である。
【００２８】
また条件式（１）の値が下限の2をとる場合、中間位置Fmでは画素Pの1倍の広がりとなる。解像力としては十分である。ただし、深度拡大の効果が小さくなる。下限の範囲内であれば、像をぼかすことなく、被写界深度を拡大することができる。
【００２９】
条件式（１）の下限2を超えると、２重焦点の効果が小さくなり実質的に被写界深度が拡大しない。また条件式（１）の上限9を超えると、２重焦点の効果が大きくなりすぎ、２重焦点の中間位置Fmで像がぼけてしまい高い解像力が得られない。
【００３０】
なお、撮像素子の画素ピッチは図４に示す通りである。図4（a）は電子撮像素子の画素配列を示したものである。画素10が水平方向、垂直方向に整列している。
【００３１】
水平方向画素ピッチPHと垂直方向方向画素ピッチPVが異なることがあるため以下の様に相乗平均で定義する。
【００３２】
P＝（PH×PV）1/2
PH：撮像素子の水平方向画素ピッチ
PV：撮像素子の垂直方向画素ピッチ
近年、画素配列を45度回転させた撮像素子もあるが、その場合でもピッチが異なる2方向の相乗平均を用いればよい。
【００３３】
なお、ファイバースコープのファイバー束も一種の撮像素子である。図4（b）はファイバー繊維11が六方配列している様子である。ファイバースコープの場合、Pはファイバーの繊維間距離である。
【００３４】
また、本発明の内視鏡は、
（２）  前記（１）項において、以下の条件式を満足することを特徴とする。
【００３５】
0≦Δy／P≦7          ・・・（２）
但し、
Δy：画面中心における光軸に垂直な方向の焦点位置のズレ量
P：撮像素子の画素ピッチであり、以下の様に定義する。
【００３６】
P＝（PH×PV）1/2
PH：撮像素子の水平方向画素ピッチ
PV：撮像素子の垂直方向画素ピッチ
結晶光学素子は、結晶の光学軸の方向によっては結像光学系の光軸とは垂直方向に像を分離する作用を持つ。その場合の分離量に関しても適切なパラメーターを設定することが望ましい。
【００３７】
図5は結晶光学素子の光学軸12と、結像光学系の光軸９のなす角度θ、画面中心における光軸に垂直な方向の焦点位置のズレ量Δyを示している。座標は結像光学系の光軸をz方向、結晶の光学軸はyz平面内にあるとし、z軸に対してθ傾いている。
【００３８】
光軸上の光線のうち常光線は結晶光学素子を通過した後も光軸上を進みF1で結像する。一方、光軸上の光線のうち異常光線は結晶光学素子で屈折され、y方向にΔyずれてF2に結像する。このため画像が画面方向にズレて重なる。ここで画面方向とは結像光学系の光軸に垂直な方向のことである。以下同じ定義で用いる。
【００３９】
条件式（２）を満足することで像の画面方向のズレを規制し、画質の劣化を防止することができる。条件式（２）の範囲であれば像の画面方向のズレによる画質劣化は問題なく、一方、撮像素子上に結像する高周波成分を抑制でき、モアレ防止の効果もあり好ましい。
【００４０】
条件式（２）の上限7を超えると像の画面方向のズレが大きくなり、画質が劣化して好ましくない。Δyは0以上の値を持つために条件式（２）の下限0を超えることは無く、0であっても画面方向のズレ量がない場合であり、なんら問題ない。
【００４１】
また、本発明の内視鏡は、
（３）  前記（１）項において、以下の条件式を満足することを特徴とする。
【００４２】
0°≦θ≦10°          ・・・（３）
0°≦φih-max≦20°    ・・・（４）
但し、
θ：結晶光学素子の光学軸と、結像光学系の光軸とのなす角度
φih-max：結像光学系の最大像高における主光線と、結像光学系の光軸とのなす角度であり、結晶光学素子入射面での値である。
【００４３】
条件式（３）は図5で示した画面中心部における像の画面方向のズレに関するものであり、結晶光学素子の光学軸の方向を規定したものである。
【００４４】
条件式（３）の範囲内であれば画面中心部において像の画面方向のズレが発生しにくくなる。
【００４５】
条件式（３）の上限10°を超えると像の画面方向のズレが大きくなりやすく、好ましくない。結晶光学素子の光学軸と、結像光学系の光軸が平行の時がθは0°であり最小値となる。よって条件式（３）の下限0°を超えることはなく、0°であっても、画面方向のズレ量がない場合であり、なんら問題ない。
【００４６】
条件式（４）は画面周辺部における像の画面方向のズレに関するものである。画面周辺部においては、条件式（３）を満足した上で条件式（４）を満足することが望ましい。
【００４７】
図6は画面周辺の結像光学系の主光線と光軸とのなす角度を示したものである。
【００４８】
結像光学系において画面周辺の主光線は、光軸方向の位置によって光軸となす角度は変化する。たとえば像側にテレセントリックな場合、光学系の最終面から像面までの位置では画面周辺の主光線は光軸と平行であるが、最終面より物体側では一般的に平行ではない。このため画面周辺部における像の画面方向のズレを良好な範囲に保つためには結晶光学素子の配置場所が重要であり、結晶光学素子の入射面での画面周辺の主光線と結像光学系の光軸とのなす角度が小さい位置に配置することが望ましい。そこで、結晶光学素子の入射面における、結像光学系の最大像高に対応する主光線13と、結像光学系の光軸９のなす角度φih-maxを規定した。
【００４９】
条件式（３）および条件式（４）の範囲であれば画面周辺部において像の画面方向のズレが発生しにくくなる。条件式（３）を満足しても条件式（４）の上限20°を超えると像の画面方向のズレが大きくなりやすく、好ましくない。
【００５０】
結像光学系の最大像高における主光線と、結像光学系の光軸が平行の時はθは0°であり最小値となる。よって条件式（４）の下限0°を超えることは無く、0°の時は画面中心と画面周辺部とで画面方向のズレ量に差がない場合であり、条件式（３）を満足している場合、なんら問題ない。
【００５１】
また、上記条件式（４）を満足すればよく、必ずしもテレセントリックである必要は無い。
【００５２】
また、本発明の内視鏡は、
（４）  前記（１）項において、以下の条件式を満足することを特徴とする。
【００５３】
0.5≦t／f≦2            ・・・（５）
但し、
t：結晶光学素子の厚さであり、結像光学系の光軸方向の寸法である。
f：結像光学系の焦点距離
条件式（５）は結晶光学素子の製造条件に関するものである。内視鏡の様な小型の光学系に用いる場合、光学素子の加工性、組み立て性、対衝撃性は重要である。条件式（５）を満足することで結像光学系を小型に保ったまま、加工性、組み立て性を確保できる。
【００５４】
条件式（５）の下限0.5を超えると結晶光学素子の強度が低くなり、加工、組み立ての際に結晶光学素子が破損しやすくなる。条件式（５）の上限2を超えると結像光学系の光路内に結晶光学素子を配置するのが困難となるか、あるいは結像光学系が大型化しやすくなる。
【００５５】
また、本発明の内視鏡は、
（５）  被写体の像を結像する結像光学系と撮像素子を有する内視鏡において、複屈折性を持ち、常光線と異常光線とで異なる屈折率をもつ結晶からなる結晶光学素子を前記結像光学系の光路に配置し、前記結像光学系の光軸方向に２重焦点が形成され、以下の条件式を満足することを特徴とする。
【００５６】
2≦Δz／（Fno×P）≦9    ・・・（１）
0≦Δy／P≦7            ・・・（２）
0°≦θ≦10°            ・・・（３）
0°≦φih-max≦20°      ・・・（４）
0.5≦t／f≦2              ・・・（５）
但し、
Δz：画面中心における光軸方向の焦点位置のズレ量
Fno：結像光学系の有効Fナンバー
P：撮像素子の画素ピッチであり、以下の様に定義する。
【００５７】
P＝（PH×PV）1/2
PH：撮像素子の水平方向画素ピッチ
PV：撮像素子の垂直方向画素ピッチ
Δy：画面中心における光軸に垂直な方向の焦点位置のズレ量
θ：結晶光学素子の光学軸と、結像光学系の光軸とのなす角度
φih-max：結像光学系の最大像高における主光線と、結像光学系の光軸とのなす角度であり、結晶光学素子入射面での値である。
t：結晶光学素子の厚さであり、結像光学系の光軸方向の寸法である。
f：結像光学系の焦点距離
上記の条件式（１）〜（５）を全て満足すると、なお好ましい。
【発明の効果】
【００５８】
本発明によれば、被写界深度を拡大した内視鏡であって、簡易な構成で、かつ最適なパラメーターを設定した内視鏡を提供することができる。
【発明を実施するための最良の形態】
【００５９】
各実施例における条件式の値および条件式要素の値は表１に、仕様は表2に記載する。
【００６０】
なお、2重焦点の計算は光学設計ソフトZEMAX（ZEMAX Development Corporation製）で行った。
【００６１】
各実施例とも、結像光学系の光軸をz方向、像高方向をy方向とし、結晶軸は紙面に平行である。
【００６２】
また、紙面に垂直に振動する偏光をS偏光とし、結晶光学素子に対しては常光線として作用する。紙面に平行に振動する偏光をP偏光とし、結晶光学素子に対しては異常光線として作用する。
【００６３】
以下に示す数値データ中、INFは無限大を表す。また、屈折率はｄ線に対する値である。
【００６４】
また、レンズ断面図中、記号＃は結晶光学素子、矢印は結晶光学素子の光軸、記号＊は赤外カットフィルター、記号＄はCCDカバーガラス、記号\はCCDチップ封止ガラス、ASは明るさ絞り、FSはフレアー絞りをそれぞれ示す。
（実施例１）
光学系の数値データを以下に示す。
面番号      曲率半径      面間隔      屈折率      アッベ数
（物体）      INF      17.3913
1        INF        0.3304        1.88300      40.76
2        0.9226      0.4957
3        INF        0.0522
4        INF        0.0870
5        INF        0.5391        1.51400      75.00
6        INF        0.0261
7        INF        0.3739
8        1.9061      0.3478        1.81600      46.62
9        0.8496      0.8696        1.58913      61.14
10      -1.4270      0.0261
11      （絞り）      0.3739
12        INF        0.0261
13        INF        0.4348        1.58913      61.14
14        2.6104      0.2174
15        INF        0.0261
16        INF        1.8609
17        INF        -0.0696
18        5.6748      1.7391      1.69680      55.53
19        -2.1209    0.3913        1.92286      18.90
20        -3.7000    -0.3043
21        INF        0.9478
22        INF        0.0261
23        INF        1.7391        （表2に記載）
24        INF        0.0261
25        INF        0.7565
26        INF        0.0261
27        INF        1.3043        1.51633      64.14
28        INF        0.0087        1.51000      63.00
29        INF        1.0696        1.50600      60.00
30        INF        0.0166
（像面）      INF
第3,4,7,12,15,16,17,21,22,25,26面：フレア絞り
第11面：明るさ絞り
第5面：赤外カットフィルター（C5000）
第23面：結晶光学素子（ルチル（TiO2））
第27面：CCDカバーガラス（封止ガラスに接着）
第29面：CCDの封止ガラス
本実施例は、結晶光学素子としてルチル（TiO2）を用いた。ルチルは屈折率が高くまた屈折率差も大きく、2重焦点用の光学素子に適している。
【００６５】
結晶光軸の方向はｚ軸に一致している。
【００６６】
図7にレンズ断面図と常光線の光路を示す。異常光線の光路との差はほとんど判別できないため、Δzに関しては収差図（図８）および表１に示す。
【００６７】
図8に、常光線の像位置F1と異常光線の像位置F2とΔzとそれぞれの像面湾曲収差を示す。
（実施例２）
光学系の数値データを以下に示す。
面番号      曲率半径      面間隔      屈折率      アッベ数
（物体）      INF      17.3913
1        INF        0.3304        1.88300      40.76
2        0.9226      0.4957
3        INF        0.0522
4        INF        0.0870
5        INF        1.3043        （表2に記載）
6        INF        0.0261
7        INF        0.2313
8        1.9061      0.3478        1.81600      46.62
9        0.8496      0.8696        1.58913      61.14
10      -1.4270      0.0261
11      （絞り）      0.3739
12        INF        0.0261
13        INF        0.4348        1.58913      61.14
14      2.6104        0.2174
15        INF        0.0261
16        INF        1.8609
17        INF      -0.0696
18      5.6748      1.7391        1.69680      55.53
19      -2.1209      0.3913        1.92286      18.90
20      -3.7000      -0.3043
21        INF        1.0480
22        INF        0.0261
23        INF        0.5391        1.51400      75.00
24        INF        0.0261
25        INF        0.7565
26        INF        0.0261
27        INF        1.3043        1.51633      64.14
28        INF        0.0087        1.51000      63.00
29        INF        1.0696        1.50600      60.00
30        INF        0.0219
（像面）      INF
第3,4,7,12,15,16,17,21,22,25,26面：フレア絞り
第11面：明るさ絞り
第5面：結晶光学素子（ニオブ酸リチウム（LiNbO3））
第23面：赤外カットフィルター（C5000）
第27面：CCDカバーガラス（封止ガラスに接着）
第29面：CCDの封止ガラス
本実施例は、結晶光学素子としてニオブ酸リチウム（LiNbO3）を用いた。ニオブ酸リチウムは屈折率が高くまた屈折率差も大きく、2重焦点用の光学素子に適している。
【００６８】
結晶光軸の方向θ＝5°である。θ＝5°にすることで撮像素子上に結像する高周波成分を抑制でき、モアレ防止の効果がある。
【００６９】
図9にレンズ断面図と常光線の光路を示す。異常光線の光路との差はほとんど判別できないため、Δzに関しては収差図（図１０）および表１に示す。
【００７０】
図10に、常光線の像位置F1と異常光線の像位置F2とΔzとそれぞれの像面湾曲収差を示す。
（実施例３）
光学系の数値データを以下に示す。
面番号      曲率半径      面間隔      屈折率      アッベ数
（物体）      INF        1.0000
1        INF        1.7391        （表2に記載）
2        INF        0.1739
3        INF        0.3304        1.88300      40.76
4        0.9226      0.4957
5        INF        0.0522
6        INF        0.0870
7        INF        0.5391        1.51400      75.00
8        INF        0.0261
9        INF        0.3739
10      1.9061      0.3478        1.81600      46.62
11      0.8496      0.8696        1.58913      61.14
12      -1.4270      0.0261
13      （絞り）      1.8609
14        INF        0.0261
15        INF        0.4348      1.58913      61.14
16      2.6104        0.2174
17        INF        0.0261
18        INF        0.3739
19        INF        -0.0696
20      5.6748        1.7391      1.69680        55.53
21      -2.1209      0.3913        1.92286        18.90
22      -3.7000      -0.3043
23        INF        1.3826
24        INF        0.0261
25        INF        0.3478        1.52287      59.89
26        INF        0.0261
27        INF        0.7565
28        INF        0.0261
29        INF        1.3043        1.51633      64.14
30        INF        0.0087        1.51000      63.00
31        INF        1.0696        1.50600      60.00
32        INF        0.1229
（像面）      INF
第5,6,9,14,17,18,19,23,24,27,28面：フレア絞り
第13面：明るさ絞り
第1面：結晶光学素子（二酸化テルル（TeO2））
第7面：赤外カットフィルター（C5000）
第29面：CCDカバーガラス（封止ガラスに接着）
第31面：CCDの封止ガラス
結晶光学素子として二酸化テルル（TeO2）を用いた。二酸化テルル（TeO2）は屈折率が高くまた屈折率差も大きく、2重焦点用の光学素子に適している。
【００７１】
結晶光軸の方向はｚ軸に一致している。
【００７２】
図11にレンズ断面図と常光線の光路を示す。異常光線の光路との差はほとんど判別できないため、Δzに関しては収差図（図１２）および表１に示す。
【００７３】
図12に、常光線の像位置F1と異常光線の像位置F2とΔzとそれぞれの像面湾曲収差を示す。
【００７４】
【表１】
0004827481.tif 000002
【００７５】
【表２】
0004827481.tif 000003
上記の他に、本発明は以下のように構成することができる。
【００７６】
（１）  2重焦点形成時に画像処理を行い、コントラストを改善するとよい。本発明では前述の通り、解像力は確保できるのでコントラストが不足した場合はコントラストを強調する画像処理を行うのが好ましい。
【００７７】
（２）  結像光学系は、焦点距離が変化するズーム光学系、あるいは被写体距離を変更できるフォーカス機能を持つ光学系に適応することもできる。たとえば高倍にフォーカスした際の深度不足を改善することができる。
【００７８】
（３）  被写界深度を拡大する作用を用い、結像光学系の明るさを向上することもできる。すなわち結像光学系のFナンバーを小さくしても、被写界深度拡大作用により被写界深度を確保できる。
【００７９】
（４）  各実施例では結晶光学素子は両面が平面のフィルター形状をしているが、それに限らず、レンズ形状でもよい。
【００８０】
（５）  結晶光学素子として、イットリウムバナデート（YVO4）、方解石（CaCO3）、バリウムボーレイト（α-BBO）などの材質を用いてもよい。
【００８１】
（６）  各実施例で使用した結晶光学素子は屈折率が高く、非点収差、像面湾曲、歪曲等の収差補正に適している。
【００８２】
（７）  各実施例で使用した結晶光学素子はアッベ数が小さく、色収差補正に適している。
【００８３】
（８）  各実施例で使用した結晶光学素子は屈折率が高い。このため高屈折材質用反射防止コートをすることが好ましい。
【００８４】
（９）  照明光をP偏光、S偏光に切り替えて照明すると、偏光方向によりピント位置を変化することができる。
【００８５】
（１０）  本発明の内視鏡の形態はファイバースコープ、電子内視鏡、硬性内視鏡の他にカプセル形状をしたカプセル内視鏡などを含み、内視鏡であれば形態は問わない。
【００８６】
（１１）  上記実施例の長さの単位はmmであるが、各々係数倍したものでもよい。
【図面の簡単な説明】
【００８７】
【図１】本発明の内視鏡の概念図である。
【図２】図１の部分拡大図である。
【図３】２重焦点とその中間での光束の広がりを示す図である。
【図４】撮像素子の画素ピッチを示す図である。
【図５】光軸に垂直な方向の焦点位置のズレ量を示す図である。
【図６】画面周辺の主光線と光軸とのなす角度を示す図である。
【図７】実施例１のレンズ断面図である。
【図８】実施例１の像位置と像面湾曲収差を示す図である。
【図９】実施例２のレンズ断面図である。
【図１０】実施例２の像位置と像面湾曲収差を示す図である。
【図１１】実施例３のレンズ断面図である。
【図１２】実施例３の像位置と像面湾曲収差を示す図である。
【符号の説明】
【００８８】
１          内視鏡
２          ライトガイドファイバー
３          照明レンズ
４          結像光学系
５          結晶光学素子
６          撮像素子
７          被写体
８          鉗子口
９          結像光学系の光軸
１０        電子撮像素子の画素
１１        ファイバー繊維
１２        結晶光学素子の光学軸
１３        結像光学系の最大像高における主光線
【図１】
0004827481.tif 000004
【図２】
0004827481.tif 000005
【図３】
0004827481.tif 000006
【図４】
0004827481.tif 000007
【図５】
0004827481.tif 000008
【図６】
0004827481.tif 000009
【図７】
0004827481.tif 000010
【図８】
0004827481.tif 000011
【図９】
0004827481.tif 000012
【図１０】
0004827481.tif 000013
【図１１】
0004827481.tif 000014
【図１２】
0004827481.tif 000015